(57)【要約】      （修正有）【課題】プリンター、スキャナー、または多機能プリンターに適用され、紙づまりを防ぐ記録媒体移送装置を提供する。【解決手段】この装置は、少なくともピックアップローラー１０を持つ記録媒体供給経路１００と、スキャンまたは印刷される記録媒体を移送する供給ローラー２０を含む。特に、ブロック部材８０は、ピックアップローラー１０と供給ローラー２０の間に設置され、供給ローラー２０の少し下にある。したがって、ブロック部材８０に接触するよう、記録媒体４０を引き出すために、供給ローラー２０がリバースすることで、記録媒体は、記録媒体供給経路に連携している折り返し経路に入る。その後、記録媒体供給経路のピックアップローラー１０と供給ローラー２０によって移送された記録媒体は、さらに２面のスキャンまたは印刷処理される。【選択図】図１
0003107262.tif 000002
【実用新案登録請求の範囲】
【請求項１】
記録媒体供給経路と折り返し経路に沿って記録媒体を移送し、表面と裏面がある前記の記録媒体を処理する、スキャナーおよびプリンターに適用される記録媒体移送装置であって、
少なくとも前記の記録媒体供給経路にあるピックアップローラーおよび供給ローラーと、
前記のピックアップローラーと前記の供給ローラーの間に据え付けられ、前記の供給ローラーの少し下にあるブロック部材とからなり、
前記ブロック部材が前記記録媒体の裏面が処理されるよう前記の記録媒体を移送するため、前記の折り返し経路と前記の記録媒体供給経路が連携している所で、前記記録媒体の表面の処理が終了した後、前記の供給ローラーによって前記の記録媒体がリバースされるように、前記の折り返し経路に沿って前記の記録媒体を戻るように導くことを特徴とする、
記録媒体移送装置。
【請求項２】
前記のピックアップローラーが、前記の記録媒体に対し摩擦をより良くするため、表面がゴムで覆われていることを特徴とする、請求項１に記載の記録媒体移送装置。
【請求項３】
前記の供給ローラーが、前記の記録媒体に対し摩擦をより良くするため、表面がゴムで覆われていることを特徴とする、請求項１に記載の記録媒体移送装置。
【請求項４】
前記の折り返し経路に、前記の記録媒体供給経路に向けて、前記の記録媒体を押し出すリターンローラーを設けたことを特徴とする、請求項１に記載の記録媒体移送装置。
【請求項５】
前記の記録媒体供給経路に、前記の記録媒体をスキャンするスキャニングユニットを設けたことを特徴とする、請求項１に記載の記録媒体移送装置。
【考案の詳細な説明】
【技術分野】
【０００１】
本考案は、スキャナーまたはプリンターに適用される記録媒体移送装置に関し、特に、記録媒体の両面の作業を処理できる記録媒体移送装置に関する。
【背景技術】
【０００２】
スキャナーとプリンターは、今では文書の、スキャン、印刷、コピー、保存、ファックス用に、個人やオフィスで広く利用されており、今日非常に重要な役割を果たしている。
【０００３】
ファックス、プリンター、スキャナー、多機能プリンターなど、この種の製品は、少なくとも記録媒体の片面を処理する。記録媒体の両面をスキャン、読み取り、印刷する必要がある場合は、手動で処理することに加えて、機械に組み込まれた幾つかの処理装置がこれまでに開発されてきた。関連する特許は、特許文献１乃至特許文献５などに開示されている。
【特許文献１】米国特許第５５５０５７２号明細書
【特許文献２】米国特許第４９７０６６１号明細書
【特許文献３】米国特許第４７８５３１７号明細書
【特許文献４】米国特許第６６４７２３９号明細書
【特許文献５】米国特許第５８０６９９９号明細書
【考案の開示】
【考案が解決しようとする課題】
【０００４】
先に示したこの種の装置は、スキャナーまたはプリンターで両面の記録媒体を処理することはできるが、装置が大型となって、メンテナンスが非常に困難となり、構造や機構が複雑な装置という共通の欠点がある。また、記録媒体の裏面を移送するとき、多すぎる構成部品によって、すぐに紙詰まりが起きたり記録媒体にしわが生じることがあり、ユーザーに不都合を生じさせる。
【課題を解決するための手段】
【０００５】
本考案の目的は、構造が単純で、構成部品が少なく、小型で、かつ、移送中の記録媒体の詰まりを防ぐことが可能な記録媒体移送装置を提供することである。
【０００６】
本考案による記録媒体移送装置は、両面のスキャンまたは印刷操作を扱うファックス、プリンター、スキャナー、多機能プリンターなどの、スキャナーおよびプリンター類に適用される。
【０００７】
本考案による記録媒体移送装置は、少なくともピックアップローラーを持つ記録媒体供給経路と、スキャンまたは印刷する前記の記録媒体を移送する供給ローラーとからなる。特に、ブロック部材は、前記のピックアップローラーと前記の供給ローラーの間に設置され、前記の供給ローラーのほんの少し下にあるので、前記のブロック部材に接触するよう、前記の記録媒体を引き出すために、前記の供給ローラーがリバースするときに、前記の記録媒体は、前記の記録媒体供給経路に連結している折り返し経路に入る。その後、前記の記録媒体供給経路にある前記のピックアップローラーと前記の供給ローラーによって移送された前記の記録媒体は、さらにその裏面がスキャン処理または印刷処理される。
【考案の効果】
【０００８】
本考案に係る録媒体移送装置は上記した構成を有することで、構造が単純で、構成部品が少なく、小型で、メンテナンスが容易であり、かつ、記録媒体の詰まりやしわが生じるのを防ぐ。
【考案を実施するための最良の形態】
【０００９】
本考案は、以下の詳細な説明からより完全に理解されるであろう。尚、以降の説明は実施例を挙げるためであり、本考案を制限するものではない。
【００１０】
図１から図６は、本考案に係る記録媒体移送装置の一連の作動を示す図である。
【００１１】
本考案による記録媒体移送装置は、スキャナー、プリンター、または同種に適用される。例えば、前記の記録媒体移送装置は、紙などの記録媒体４０を移送する、スキャナー、ファックス、プリンター、複写機または多機能プリンターに適用できる。
【実施例１】
【００１２】
本考案に係る記録媒体移送装置の一連の作動を示す図１から図６において、記録媒体４０は、カートリッジ５０に用意され、ピックアップローラー６０によって取り出される。本考案の記録媒体移送装置の記録媒体供給経路１００には、少なくともピックアップローラー１０と供給ローラー２０が配備してある。前記のローラー１０と２０は、記録媒体４０との摩擦をよりよくするため、表面がゴムでできている。前記のローラー１０と２０の数と配置は、機能の要求事項によって左右され、図面に表示するものに限定されない。
【００１３】
記録媒体４０は、ピックアップローラー１０によって取込まれ、印刷ユニット３０によるさらなる処理のため、供給ローラー２０によって送られる。よりわかりやすく説明するため、前記の記録媒体の表面と裏面は、夫々第１の面、第２の面として以降に説明する。
例えば、図３に図示されるように、印刷ユニット３０は、記録媒体４０の第１の面に印刷する。記録媒体をスキャンするスキャニングユニット９０は、記録媒体が通過する記録媒体供給経路１００に選択的に設置される。
【００１４】
ブロック部材８０は、ピックアップローラー１０と供給ローラー２０の間に設置され、供給ローラー２０の少し下にある。ブロック部材８０の配置位置はこれに限定されず、供給ローラー２０の大きさによってのみ左右され、記録媒体供給経路１００での記録媒体４０を前方へ送る妨げとはならない位置であればよい。
【００１５】
図３に図示されるように、記録媒体ピックアップローラー１０と供給ローラー２０によって記録媒体４０の第１の面の処理が終了したあと、記録媒体４０を引き出してブロック部材８０に接触するよう、供給ローラー２０が逆転してリバースする。次に記録媒体４０は、記録媒体供給経路１００に連携している折り返し経路２００に導かれる。
図４に図示されるように、記録媒体が折り返し経路２００を円滑に通過するよう、少なくともリターンローラー７０が、前記の供給経路１００に向けて記録媒体４０を押し出すように前記の経路２００の途中に、選択的に据え付けられる。
【００１６】
図５に図示されるように、記録媒体４０は、記録媒体供給経路１００に入ったあと、供給ローラー２０に向けて、記録媒体供給経路１００に沿って、ピックアップローラー１０によって移送され、図６に図示されるように、印刷ユニット３０によってさらに第２の面が印刷処理される。
【００１７】
上記で述べた通り、記録媒体４０は、第１の面に関して、記録媒体供給経路１００に沿って、ピックアップローラー１０と供給ローラー２０によって移送され、スキャニングユニット９０によってスキャンされ、または印刷ユニット３０によって印刷され、それから供給ローラー２０によってリバースされ、折り返し経路２００に沿うように、ブロック部材８０によって導かれ、向きが変わった第２の面に所定の処理をするため再び記録媒体供給経路１００に沿って移送される。この装置は、構造が単純で、構成部品が少なく、小型で、メンテナンスが容易であり、かつ、記録媒体の紙詰まりやしわが生じるのを防ぐ。したがって、本考案の記録媒体移送装置は、創意に富み、実用的である。
【００１８】
本考案は上述したとおりであるが、本考案が多くの方法で変更され得るのは明らかである。そのような変更は、本考案の精神と範囲の逸脱とはみなされず、当業者に明白である変更全てが、本考案の実用新案登録請求の範囲内に含まれるものとする。
【図面の簡単な説明】
【００１９】
【図１】本考案に係る記録媒体移送装置の作動を示す説明図
【図２】本考案に係る記録媒体移送装置の作動を示す説明図
【図３】本考案に係る記録媒体移送装置の作動を示す説明図
【図４】本考案に係る記録媒体移送装置の作動を示す説明図
【図５】本考案に係る記録媒体移送装置の作動を示す説明図
【図６】本考案に係る記録媒体移送装置の作動を示す説明図
【符号の説明】
【００２０】
１０  ピックアップローラー
２０  供給ローラー
３０  印刷ユニット
４０  記録媒体
５０  カートリッジ
６０  ピックアップローラー
７０  リターンローラー
８０  ブロック部材
９０  スキャニングユニット
１００  記録媒体供給経路
２００  折り返し経路
【図１】
0003107262.tif 000003
【図２】
0003107262.tif 000004
【図３】
0003107262.tif 000005
【図４】
0003107262.tif 000006
【図５】
0003107262.tif 000007
【図６】
0003107262.tif 000008